(57)【要約】      （修正有）【課題】組み立てた状態と、折り畳んで収納体とする状態とに変更が簡便であり、遮音性にも優れ、持ち運びが容易なパーテーションを提供する。【解決手段】パーテーション１は、組み立てた状態では、天面板１１、正面板１２並びに第１側面板１３および第２側面板１４を備え、第１側面板１３および第２側面板１４は、それぞれ、正面板１２の対向する２辺に沿って正面板１２と折り曲げ可能に接続し、天面板１１は、互いに対向し、折り曲げ可能に延在する一対の庇部１１３、１１４を備え、かつ、正面板１２の２辺とは異なる辺に沿って正面板１２と折り曲げ可能に接続する。一対の庇部１１３、１１４は、それぞれ、第１側面板１３および第２側面板１４と重畳し、天面板１１、正面板１２並びに第１側面板１３および第２側面板１４に囲まれた空間を形成する。【選択図】図１
0003233867.tif 000002
【実用新案登録請求の範囲】
【請求項１】
組み立てた状態と、折り畳んで収納体とする状態とに変更が可能な、持ち運びが可能なパーテーションであって、
前記組み立てた状態では、
天面板、正面板並びに第１側面板および第２側面板を備え、
前記第１側面板および前記第２側面板は、それぞれ、前記正面板の対向する２辺に沿って前記正面板と折り曲げ可能に接続し、
前記天面板は、互いに対向し、折り曲げ可能に延在する一対の庇部を備え、かつ、前記正面板の前記２辺とは異なる辺に沿って前記正面板と折り曲げ可能に接続し、
前記一対の庇部は、それぞれ、前記第１側面板および前記第２側面板と重畳し、
前記天面板、前記正面板並びに前記第１側面板および前記第２側面板に囲まれた空間を形成する、パーテーション。
【請求項２】
前記組み立てた状態において、前記第１側面板および前記第２側面板は、それぞれの前記庇部と重畳する部分の幅が、当該部分とは反対側の部分の幅よりも小さい、請求項１に記載のパーテーション。
【請求項３】
前記組み立てた状態において、前記天面板の前記正面板からもっとも離間した外縁が、前記天面板の平面視において凹部を形成している、請求項１または請求項２に記載のパーテーション。
【請求項４】
前記組み立てた状態において、前記正面板並びに前記第１側面板および前記第２側面板のいずれかは、前記空間側の表面に吸音材をさらに備えた、請求項１から請求項３のいずれか一項に記載のパーテーション。
【請求項５】
前記正面板並びに前記第１側面板および前記第２側面板のいずれかは、その一部が透明な部材で構成されている、請求項１から請求項４のいずれか一項に記載のパーテーション。
【請求項６】
前記天面板、前記正面板並びに前記第１側面板および前記第２側面板のいずれかは、その一部に開閉可能な開口が設けられている、請求項１から請求項５のいずれか一項に記載のパーテーション。
【請求項７】
前記組み立てた状態において、前記空間側の、前記正面板と前記第１側面板または前記第２側面板とのなす角は略直角である、請求項１から請求項６のいずれか一項に記載のパーテーション。
【請求項８】
前記組み立てた状態において、前記空間側の、前記正面板と前記第１側面板または前記第２側面板とのなす角は鈍角である、請求項１から請求項６のいずれか一項に記載のパーテーション。
【請求項９】
前記組み立てた状態において、前記空間側の、前記正面板と前記第１側面板または前記第２側面板とのなす角は鋭角である、請求項１から請求項６のいずれか一項に記載のパーテーション。
【請求項１０】
前記組み立てた状態において、前記一対の庇部と、前記第１側面板および前記第２側面板とは、それぞれ着脱可能に係合する一対の係合手段を備える、請求項１から請求項９のいずれか一項に記載のパーテーション。
【請求項１１】
前記組み立てた状態において、前記一対の係合手段は、前記一対の庇部に設けられた第１の係合手段と、前記第１側面板および前記第２側面板にそれぞれ設けられた第２の係合手段、および前記第１側面板および前記第２側面板にそれぞれ設けられた第２の係合手段から構成され、
前記正面板は、第３の係合手段を備え、
前記収納体とする状態において、前記第１の係合手段と前記第３の係合手段とが、それぞれ着脱可能に係合する一対の係合手段を構成する、請求項１０に記載のパーテーション。
【考案の詳細な説明】
【技術分野】
【０００１】
本考案は、パーテーションに関し、とりわけ組み立てることおよび折り畳むことが可能であり、持ち運びが可能なパーテーションに関する。
【背景技術】
【０００２】
近年、関係者が一堂に集合することなく、異なる場所にいる各人が、自己の所持するパソコンやスマートフォン等を介して、お互いの顔画像や資料を当該パソコン等の表示部に表示させて確認し合いながら遠隔で会議を行うことが増えている。また、このような会議形態では、会議に無関係な他人が多数集まる事務フロアや食堂、店舗内等で会議に参加することもある。この場合、周囲にいる他人の話し声等により、会議の音声が聞き取りにくくなったり、逆に周囲に会議の音声が漏れて迷惑を掛けるおそれがある。
【考案の概要】
【考案が解決しようとする課題】
【０００３】
これに対して、取り外しが可能なパーテーションも普及し始めている。しかし、このようなパーテーションは一般的に組み立てや取り外しの作業が複雑であり、時間を要するものが多いため、持ち運びが可能で気軽に組み立てや折り畳みができ、遮音効果に優れたパーテーションがあれば便宜である。
【０００４】
本考案に係る開示はこのような状況に鑑みてなされたものであり、組み立てた状態と、折り畳んで収納体とする状態とに変更が簡便であり、遮音性にも優れ、持ち運びが容易なパーテーションを提供することを課題とする。
【課題を解決するための手段】
【０００５】
本実施の形態による、組み立てた状態と、折り畳んで収納体とする状態とに変更が可能な、持ち運びが可能なパーテーションは、前記組み立てた状態では、天面板、正面板並びに第１側面板および第２側面板を備え、前記第１側面板および前記第２側面板は、それぞれ、前記正面板の対向する２辺に沿って前記正面板と折り曲げ可能に接続し、前記天面板は、互いに対向し、折り曲げ可能に延在する一対の庇部を備え、かつ、前記正面板の前記２辺とは異なる辺に沿って前記正面板と折り曲げ可能に接続し、前記一対の庇部は、それぞれ、前記第１側面板および前記第２側面板と重畳し、前記天面板、前記正面板並びに前記第１側面板および前記第２側面板に囲まれた空間を形成する。
【０００６】
また、本実施の別の形態によるパーテーションは、前記組み立てた状態において、前記第１側面板および前記第２側面板は、それぞれの前記庇部と重畳する部分の幅が、当該部分とは反対側の部分の幅よりも小さくてもよい。
【０００７】
また、本実施の別の形態によるパーテーションは、前記組み立てた状態において、前記天面板の前記正面板からもっとも離間した外縁が、前記天面板の平面視において凹部を形成してもよい。
【０００８】
また、本実施の別の形態によるパーテーションは、前記組み立てた状態において、前記正面板並びに前記第１側面板および前記第２側面板のいずれかは、前記空間側の表面に吸音材をさらに備えてもよい。
【０００９】
また、本実施の別の形態によるパーテーションにおいて、前記正面板並びに前記第１側面板および前記第２側面板のいずれかは、その一部が透明な部材で構成されていてもよい。
【００１０】
また、本実施の別の形態によるパーテーションにおいて、前記天面板、前記正面板並びに前記第１側面板および前記第２側面板のいずれかは、その一部に開閉可能な開口が設けられていてもよい。
【００１１】
また、本実施の別の形態によるパーテーションは、前記組み立てた状態において、前記空間側の、前記正面板と前記第１側面板または前記第２側面板とのなす角は略直角であってもよい。
【００１２】
また、本実施の別の形態によるパーテーションは、前記組み立てた状態において、前記空間側の、前記正面板と前記第１側面板または前記第２側面板とのなす角は鈍角であってもよい。
【００１３】
また、本実施の別の形態によるパーテーションは、前記組み立てた状態において、前記空間側の、前記正面板と前記第１側面板または前記第２側面板とのなす角は鋭角であってもよい。
【００１４】
また、本実施の別の形態によるパーテーションは、前記組み立てた状態において、前記一対の庇部と、前記第１側面板および前記第２側面板とは、それぞれ着脱可能に係合する一対の係合手段を備えてもよい。
【００１５】
また、本実施の別の形態によるパーテーションは、前記組み立てた状態において、前記一対の係合手段は、前記一対の庇部に設けられた第１の係合手段、および前記第１側面板および前記第２側面板にそれぞれ設けられた第２の係合手段から構成され、前記正面板は、第３の係合手段を備え、前記収納体とする状態において、前記第１の係合手段と前記第３の係合手段とが、それぞれ着脱可能に係合する一対の係合手段を構成してもよい。
【考案の効果】
【００１６】
本実施の形態によれば、組み立てた状態と、折り畳んで収納体とする状態とに変更が簡便であり、遮音性にも優れ、持ち運びが容易なパーテーションを提供することができる。
【図面の簡単な説明】
【００１７】
【図１】第１実施形態のパーテーションの一例を説明する概略斜視図である。
【図２】第１実施形態のパーテーションの各部を説明する展開図である。
【図３】第１実施形態のパーテーションの組み立て方法を説明する図である。
【図４】第１実施形態のパーテーションの組み立て方法を説明する図である。
【図５】第１実施形態のパーテーションの折り畳み方法を説明する図である。
【図６】第１実施形態のパーテーションの折り畳み方法を説明する図である。
【図７】パーテーションに設けられた開閉部を説明する図である。
【図８】第２、第３実施形態のパーテーションの各部を説明する展開図である。
【考案を実施するための形態】
【００１８】
以下、図面等を参照して、本開示のパーテーションおよびこれの組み立ておよび折り畳み方法の一例について説明する。ただし、本開示のパーテーションは、以下に説明する実施形態に係るものには限定されない。
【００１９】
なお、以下に示す各図は、模式的に示したものである。そのため、各部の大きさ、形状、断面図における各層の厚さ等は理解を容易にするために適宜誇張している。また、各図において部材の断面を示すハッチングを適宜省略する。本明細書中に記載する各部材の寸法等の数値および材料名は実施形態としての一例であり、これに限定されるものではなく適宜選択して使用することができる。本明細書において、形状や幾何学的条件を特定する用語、例えば平行や直交、垂直等の用語については、厳密に意味するところに加え、実質的に同じ状態も含むものとする。また、説明の便宜上、紙面に対して上方または下方等という語句を用いて説明することがあるが、上下方向が逆転してもよく、左右方向についても同様とする。
【００２０】
１．本開示の第１実施形態
（ａ）パーテーションの構成
本開示のパーテーションの第１実施形態について説明する。ここで、パーテーション１を説明する便宜上、ＸＹＺ座標系を設ける。図１に示すパーテーション１において、天面板１１が上方に配置され、正面板１２が奥側に配置される場合の上下方向にＺ軸をとり、上方を＋Ｚ方向とし、その逆方向を−Ｚ方向とする。また、正面板１２の面方向に平行な左右方向にＸ軸をとり、左側面板１３側から右側面板１４側に向かう方向を＋Ｘ方向とし、その逆方向を−Ｘ方向とする。さらに、正面板１２の面方向に垂直な奥行き方向にＹ軸をとり、手前側から奥側に向かう方向を＋Ｙ方向とし、その逆方向を−Ｙ方向とする。
【００２１】
組み立てられたパーテーション１は、事務フロアに設けられた作業机や、食堂の食卓、喫茶店等のテーブル等の一定の水平面を有する机やテーブル面に載置して使用するものである。図１では、作業机４１０の略水平面のテーブル上に、パーテーション１が載置されている。パーテーション１は、＋Ｚ方向側に配置された天面板１１、＋Ｙ方向側に配置された正面板１２、−Ｘ方向側に配置された左側面板１３および＋Ｘ方向側に配置された右側面板１４によって、空間内の４方向を仕切られる構成を有する。さらにパーテーション１が載置される面となる作業机４１０等が−Ｚ方向側にあるため、−Ｙ方向側を除く５方向が仕切られている。
【００２２】
作業者は、後述する収納体１０として収納されたパーテーション１を作業机４１０の上で組み立てて、上述のように作業机４１０の上に配置する。そして、当該パーテーション１の−Ｙ方向側に椅子などを介して着席し、パーテーション１で仕切られた空間内の机上にノート型のパーソナルコンピュータ４２０等を配置して、リモート環境で会議に参加する。
【００２３】
組み立てた状態のパーテーション１は、その主面がＸＺ平面に沿うように正面板１２が＋Ｙ方向側に配置され、正面板１２の対向する左右の２辺のうちの一方である−Ｘ方向側においてＺ軸方向に沿った第１の辺１２５に沿って、左側面板１３が、正面板１２と折り曲げ可能に接続している。また、正面板１２の対向する２辺のうちの他方である＋Ｘ方向側においてＺ軸方向に沿った第２の辺１２６に沿って、右側面板１４が、正面板１２と折り曲げ可能に接続している。
【００２４】
正面板１２、左側面板１３および右側面板１４は、これらが一体の部材を構成するように形成され、当該一体の部材を第１の辺１２５や第２の辺１２６に沿って容易に折り曲げられるよう、折り曲げ容易化の加工が施されている。当該一体的な部材は、パーテーション１が形成する所定の空間で作業者が発する音声等の外部への音漏れをある程度抑制でき、使用に耐えうる強度を有するものであればよく、板紙、プラスチック板、プラスチック段ボール等を挙げることができる。
【００２５】
板紙とは、紙の中でも厚い紙であり、段ボール、ボール紙等を含む概念である。また、これらの材料は同一材料でもよく、異なる材料が積層された複層構造のものであっても良い。単層では十分な強度が得られない場合であっても、積層して複層構造とすることで十分な強度が得られる場合があるからである。この中で、特に好ましいのは、軽量で安価であり、かつ遮音性にも優れるプラスチック段ボールである。プラスチック段ボールは、内部に板材がジグザグに折り返された構造を有し、その表裏に平板材を貼ったものである。
このような構造のため、内部に空気層を多数含んでおり、遮音効果に優れるとともに、密度が低いため、軽量化が図れて持ち運びが便利であり、パーテーションとしての適度の強度も有している。
【００２６】
上記材料の厚さは材料に大きく依存する。プラスチックの場合では通常は、０．０５ｍｍ以上、１０ｍｍ以下であり、好ましくは、０．１ｍｍ以上、３ｍｍ以下であり、より好ましくは、０．２ｍｍ以上、１ｍｍ以下である。板紙（ボール紙）の場合では、通常は、０．１ｍｍ以上、１０ｍｍ以下であり、好ましくは、０．３ｍｍ以上、８ｍｍ以下であり、より好ましくは０．５ｍｍ以上、５ｍｍ以下である。プラスチック段ボールを含む段ボールの場合では、通常は、０．５ｍｍ以上、１５ｍｍ以下であり、好ましくは、１ｍｍ以上、１０ｍｍ以下であり、より好ましくは３ｍｍ以上、８ｍｍ以下である。段ボールの厚さが３ｍｍ以上、８ｍｍ以下であることにより、吸音性および持ち運び時の軽量化の両方を向上できるからである。
【００２７】
上記の一体的な部材としてプラスチックを選定する場合は、例えば、ポリエチレン、ポリプロピレン、ポリスチレン、ポリ塩化ビニル、ポリメチルメタクリレート、アクリルニトリル−ブタジエン−スチレン樹脂、ポリアミド、ナイロン、ポリアセタール、ポリカーボネート、ポリフェニレンエーテル、ポリエチレンテレフタレート（ＰＥＴ）、ポリブチレンテレフタレート、アクリル系樹脂、ポリエステル系樹脂などを挙げることができる。中でも、好ましい一例としては、ポリエチレンテレフタレート（ＰＥＴ）である。プラスチック素材の場合には、波長３８０ｎｍ以上で７８０ｎｍ以下の範囲の可視光に対する透過率を高くする、すなわち透明性を持たせることが容易なものも多く、可視光の透過率として５０％以上、好ましくは７０％以上、より好ましくは８０％以上とすることも可能である。
【００２８】
正面板１２、左側面板１３および右側面板１４のいずれかは、その一部が透明な部材で構成されていてもよい。例えば、上記一体的な部材の大半を上述したプラスチック段ボールにて形成し、一部を上記の透明性を持たせたプラスチックで構成してもよい。パーテーションで遮られた外側の状態を、作業者が前述の空間側から容易に確認でき、作業者が周囲の状況を把握しつつ円滑に会議の進行を図れるからである。
【００２９】
天面板１１は、互いに対向し、折り曲げ可能に延在する一対の庇部１１３および１１４を備える。また、正面板１２の前述の対向する２辺とは異なる辺である＋Ｚ方向側においてＸ軸方向に沿った第３の辺１１７に沿って、天面板１１が、正面板１２と折り曲げ可能に接続している。一対の庇部１１３および１１４は、天面板１１の−Ｘ方向側と＋Ｘ方向側の端においてそれぞれ−Ｚ方向側に折れ曲がって延在する。一対の庇部１１３および１１４は、それぞれ、左側面板１３の上端および右側面板１４の上端とＸ軸方向およびＺ軸方向に沿って重畳する。
【００３０】
天面板１１は、一対の庇部１１３および１１４を含めた一体の部材として、上述の正面板１２等と同一の材料で構成してもよい。また、本実施形態では、天面板１１は、正面板１２に対して、リベット打ち等により、取り外し不可能に固定されているので、正面板１２等とは異なる材料で構成することもできる。ただし、天面板１１は、正面板１２等と一体の部材で構成してもよく、天面板１１が、正面板１２等と着脱可能に構成されてもよい。
【００３１】
ここで、一対の庇部１１３および１１４と、左側面板１３および右側面板１４とは、互いに着脱可能に係合する一対の係合手段である着脱部３０１と、着脱部３０３および３０４とを備える。着脱部３０１は、例えばボタンの雄部と雌部の組合せのような、互いに嵌合により着脱可能である係合手段である。組み立て時は着脱部３０１を係合させ、折り畳み時は、着脱部３０１の係合を解除する。なお、着脱部３０１は、上述のボタンによる構成の他、例えば、チャック、面ファスナー、磁石、弱粘着テープ、ネジ等、任意の係合手段を用いることができる。ただし、着脱作業の容易さの点および位置決めの正確さの点において、ボタンによる構成とすることが好ましい。
【００３２】
組み立てられたパーテーション１は、天面板１１、正面板１２、左側面板１３および右側面板１４に囲まれた空間を形成する。この空間は、作業者が、リモート会議等をする際の、必要な機具、例えばパーソナルコンピュータ４２０やノート、資料、照明等をその中に配置したり、作業者がその空間に向けて音声を発したりするための作業空間を意味する。当該空間は、直交座標系のＸＹＺ軸を設定し、各軸の正方向、負方向を２方向として全体で６方向を定義するとき、パーテーション１によって、少なくともそのうちの４方向の一部を仕切ることによって形成される空間を指す。なお、通常は、パーテーション１が載置される作業机等も含むので、６方向のうち、作業者がいる側を除く５方向を仕切ることが可能となる。
【００３３】
ここで、左側面板１３および右側面板１４は、Ｘ軸方向に沿った平面視で略同一形状であり、３箇所の略直角の角を有する略５角形の形状を備えている。また、平面視において、＋Ｚ方向側の上端辺の幅が−Ｚ方向側の下端辺の幅よりも短くなっている。すなわち、左側面板１３および右側面板１４は、それぞれの庇部１１３および１１４と重畳する部分の幅が、当該部分とは反対側の部分の幅よりも小さい。
【００３４】
なお、本実施形態のパーテーション１では、左側面板１３および右側面板１４は、その主面がＹＺ平面に沿って配置される。また、その主面がＸＺ平面に沿って配置される正面板１２とのなす角をθ１とする。このとき、θ１は好ましくは８０度以上、１００度以下の略直角であり、典型的には９０度である。θ１がこの範囲であることにより、後述するように、パーテーション１を折り畳んで収納体１０に収納したとき、収納体１０の外形に近似する天面板１１の形状を略矩形とすることでコンパクトにでき、持ち運びの利便性が向上する。また、θ１がこの範囲であることにより、作業者の発する音声が右側面板１３または左側面板１４に当たって反射した場合に、外部への音漏れを低減し、パーテーション１の空間内で複数回反射して減衰することによる遮音性の向上が図れる。
【００３５】
一方、天面板１１の作業者側を向いた−Ｙ方向側の辺である正面側端部１１０ａが、Ｚ軸方向に沿った平面視で、＋Ｙ方向側に向けて凹んだ略円弧の曲線を形成している。すなわち、正面板１２からもっとも離間した天面板１１の外縁が、天面板１１の平面視において凹部を形成している。このように、作業者側を向いた天面板１１の外縁が、Ｘ軸方向の略中央付近で奥側に向けて凹んでいる構成であることにより、上記空間における採光性の向上が図れる。また、作業者が立ち上がる際にパーテーション１の存在を失念して頭を天面板１１にぶつける等の作業者の行動上のリスクを低減できる。
【００３６】
また、正面板１２および右側面板１４には、それらの空間側を向く表面に吸音材２１１および２１４がさらに設けられている。また、後述するように、左側面板１３にも、同様に吸音材２１３が設けられている。吸音材２１１、２１３および２１４は、もともと正面板１２、左側面板１３および右側面板１４自体が有する遮音性に加えて、さらに遮音性を向上させる目的で付加するものである。吸音材としては、内部に気泡を大量に含み、柔軟性を備え、軽量かつ耐久性のあるものが好ましく、例えばポリエチレン、ポリプロピレン、ポリウレタン、ポリスチレン等を発泡させた発泡材を挙げることができる。
【００３７】
折り畳み時の都合を考えると、正面板１２等に貼る吸音材の大きさは当該正面板１２等の平面サイズよりも若干小さめとするのが好ましい。また、その厚さは、０．５ｍｍ以上、３０ｍｍ以下であり、好ましくは、２ｍｍ以上、２０ｍｍ以下であり、より好ましくは、５ｍｍ以上、１５ｍｍ以下である。厚さが、５ｍｍ以上、１５ｍｍ以下であることにより、吸音性および耐久性の両方を向上できるからである。
【００３８】
中でも、ポリウレタンを発泡させた軟質ポリウレタンフォームは、吸音性に優れる他、耐久性や耐衝撃性、柔軟性、変形させた後の回復性等の点でも有利である。なお、本実施形態では、遮音性の必要性が水平方向に比べて上下方向は低い点、およびパーテーション１が形成する空間内の照度の低下を抑制する点から、天面板１１には吸音材を付加していないが、天面板１１に吸音材を付加してもよいことは言うまでもない。
【００３９】
次に、パーテーション１が平面上に展開された状態の展開図について説明する。図２（ａ）は、図１に示す組み立てられたパーテーション１の天面板１１を、第３の辺１１７を軸として正面側端部１１０ａが＋Ｚ方向側を向くように上方に折り曲げ、庇部１１３および１１４の主面が天面板本体１１０の主面と重なるように折り曲げ、これを＋Ｙ方向側から見た展開図である。
【００４０】
また、図１に示すパーテーション１の左側面板１３および第２側面板１４を、それぞれ第１の辺１２５および第２の辺１２６を軸として＋Ｙ方向側に向けて折り曲げる。その結果、左側面板１３および右側面板１４の主面が正面板１２の主面と重なる位置に展開される。これを＋Ｙ方向側から見た展開図が図２（ｂ）である。また、図２（ｃ）は、図２（ｂ）の展開図を−Ｙ方向側から見た図である。
【００４１】
図２（ａ）に示すように、天面板１１は、略中央の大半を構成する天面板本体１１０と、Ｚ軸方向に沿った折曲線を介して＋Ｘ方向側に延在する略矩形の折曲片１１２と、さらにＺ軸方向に沿った折曲線を介して＋Ｘ方向側に延在する、＋Ｘ方向側の角部が丸められた庇部１１４と、を備える。同様に、天面板１１は、天面板本体１１０に対してＺ軸方向に沿った折曲線を介して−Ｘ方向側に延在する略矩形の折曲片１１１と、さらにＺ軸方向に沿った折曲線を介して−Ｘ方向側に延在する、−Ｘ方向側の角部が丸められた庇部１１３と、を備える。庇部１１３および１１４には、左側面板１３および右側面板１４の上方部分と着脱可能に係合する着脱部３０１が設けられている。
【００４２】
ここで、天面板１１の＋Ｚ方向側の端部である正面側端部１１０ａの凹部は、例えば円弧とすることができる。その円弧の曲率半径をＲ１とするとき、Ｒ１は０．２ｍ以上、５．０ｍ以下であり、好ましくは、０．５ｍ以上、４．０ｍ以下であり、より好ましくは、１．０ｍ以上、３．０ｍ以下である。Ｒ１が、１．０ｍ以上、３．０ｍ以下であることにより、吸音性および作業者の行動上のリスク低減を両立できるからである。なお、正面側端部１１０ａの凹部は円弧ではない曲線でもよく、直線部分が組み合わされたものでもよい。
【００４３】
また、天面板１１のＺ軸に沿った長さ、すなわち組み立てたパーテーション１の天面板１１の奥行である長さをＨ１とする。このとき、Ｈ１は２００ｍｍ以上、２０００ｍｍ以下であり、好ましくは、３００ｍｍ以上、１０００ｍｍ以下であり、より好ましくは、４００ｍｍ以上、６００ｍｍ以下である。Ｈ１が、４００ｍｍ以上、６００ｍｍ以下であることにより、吸音性および作業性が良く、かつ持ち運び時のサイズ低減にも寄与するからである。なお、天面板本体１１０のＸ軸に沿った幅は、後述する正面板１２の幅Ｗ１２と同様となる。
【００４４】
また、天面板１１の−Ｚ方向側には、Ｘ軸方向に沿った折曲線を介して略矩形の持ち手配置片１１５が延在し、さらにＸ軸方向に沿った折曲線を介して−Ｚ方向側に、Ｘ軸に沿った両端に円弧状の凹部である端部１１６ａおよび１１６ｂを有する正面板接続片１１６が延在する。持ち手配置片１１５のＸ軸方向の略中央には持ち手１１５ａが設けられ、正面板接続片１１６は、後述するように、正面板１２の上端と接合される。
【００４５】
一方、図２（ｂ）に示すように、平面状態で左側面板１３および右側面板１４は、正面板１２に対して左右に略対称に配置される。ここで、正面板１２についてＺ軸方向に沿った第２の辺１２６を介して＋Ｘ方向側に略矩形の第２連結片１２２が延在し、さらにＺ軸方向に沿った折曲線を介して＋Ｘ方向側に右側面板１４が延在する。同様に、正面板１２ついてＺ軸方向に沿った第１の辺１２５を介して−Ｘ方向側に略矩形の第１連結片１２１が延在し、さらにＺ軸方向に沿った折曲線を介して−Ｘ方向側に左側面板１３が延在する。左側面板１３および右側面板１４には、天面板１１の庇部１１３および１１４と着脱可能に係合する着脱部３０３および３０４が設けられている。
【００４６】
ここで、正面板１２の＋Ｚ方向側の端部に、破線で表示された接続予定部１２７が配置される。この位置には、上述したように、天面板１１の正面板接続片１１６が着脱不可能に接合され、天面板１１は正面板１２等と一体化される。また、正面板１２の＋Ｘ方向側の端部と−Ｘ方向側の端部とに、折り畳み時にそれぞれ天面板１１の庇部１１４および１１３と着脱可能に係合できる着脱部３０２が設けられている。この点については後述する。
【００４７】
さらに、正面板１２の−Ｚ方向側の端部であり、かつＸ軸に沿った略中央には、ケーブル等を通すための貫通口となる、開閉可能な開閉部１２３が設けられている。開閉部１２３の付近のＡ部を拡大した図を図７に示す。図７（ａ）は、図２（ｂ）のＡ部をそのまま拡大した図であり、図７（ｂ）は、これを斜視図にしたものである。開閉部１２３は、＋Ｚ方向側に設けられたＸ軸に平行な折曲線１２３ｃと、折曲線１２３ｃの両端からＺ軸に平行に形成され、正面板１２の下端まで貫通する２本のスリット１２３ｂから構成される。折曲線１２３ｃおよび２本のスリット１２３ｂで囲まれた領域は蓋１２３ａである。
【００４８】
作業者が、組み立てたパーテーション１によって仕切る空間内にパーソナルコンピュータや照明器具等を配置する場合を考える。このとき、電源ケーブルや通信ケーブルをパーテーション１の内外にまたがって配置するため、当該開閉部１２３の蓋１２３ａを、折曲線１２３ｃを軸として＋Ｙ方向側および＋Ｚ方向側に向けて折り曲げる。これにより、正面板１２の下方に開口１２３ｄを形成できる。ここで、ケーブルの太さに合わせて蓋１２３ａの開き具合を調整することにより、ケーブルがない領域の開口１２３ｄの形成を抑制でき、遮音性を高めることができる。
【００４９】
一方、これとは異なるタイプの開閉部とすることもできる。図７（ｃ）および図７（ｄ）は、上述した図７（ａ）および図７（ｂ）に示した開閉部１２３に対応する開閉部１２４を説明する図である。開閉部１２４は、Ｚ軸方向に沿って形成されたスリット１２４ｂと、Ｘ軸方向に沿って形成されたスリット１２４ａとが、互いに交差する、２本のスリット１２４ａおよび１２４ｂから構成される。
【００５０】
この場合、開閉部１２４の２本のスリット１２４ａおよび１２４ｂに仕切られた正面板１２の各部分が＋Ｙ方向側に向けて開くことで、開口１２４ｃを形成できる。開閉部１２４についても、ケーブルの太さに合わせて当該各部分の開き具合を調整することにより、ケーブルがない領域の開口１２４ｃの形成を抑制でき、遮音性を高めることができる。なお、開閉部の構成はこれ以外でもよいが、必要以上に開口が開かない開閉可能な構造であることが好ましい。
【００５１】
一方、図２（ｃ）において、左側面板１３の−Ｘ方向側の端から第１連結片１２１との境界までのＸ軸方向に沿った距離をＷ１３とし、右側面板１４の＋Ｘ方向側の端から第２連結片１２２との境界までのＸ軸方向に沿った距離をＷ１４とする。また、第１連結片１２１および第２連結片１２２のＸ軸方向に沿った距離をそれぞれＷ２３およびＷ２４とする。さらに、正面板１２の第１連結片１２１との境界から第２連結片１２２との境界までのＸ軸方向に沿った距離をＷ１２とする。
【００５２】
このとき、Ｗ１２は２００ｍｍ以上、２０００ｍｍ以下であり、好ましくは、３００ｍｍ以上、１２００ｍｍ以下であり、より好ましくは、４５０ｍｍ以上、７００ｍｍ以下である。Ｗ１２が、４５０ｍｍ以上、７００ｍｍ以下であることにより、吸音性および作業性が良く、かつ持ち運び時のサイズ低減にも寄与するからである。また、Ｗ１３およびＷ１４は同寸であり、かつ後述するように、折り畳む都合上、Ｗ１２よりも小さくすることが好ましい。なお、天面板本体１１０のＸ軸に沿った幅は、後述する正面板１２の幅Ｗ１２と同様となる。
【００５３】
また、Ｗ２３は、後述する収納体１０への折り畳みの便宜を考慮して、少なくとも左側面板１３の厚さと吸音材２１３の厚さの合計より若干大きめとすることが好ましい。Ｗ２４は、Ｗ２３の厚さに対して、少なくとも右側面板１４の厚さと吸音材２１４の厚さの合計の分だけさらに大きめとすることが好ましい。こうすることで収納体１０に折り畳んだときの部材の変形を抑制しつつ、収納体１０をコンパクトに薄くできるからである。
【００５４】
さらに、左側面板１３、右側面板１４および正面板１２のＺ軸方向に沿った長さをＨ０とするとき、Ｈ０は２００ｍｍ以上、２０００ｍｍ以下であり、好ましくは、３００ｍｍ以上、１２００ｍｍ以下であり、より好ましくは、４５０ｍｍ以上、７００ｍｍ以下である。Ｈ０が、４５０ｍｍ以上、７００ｍｍ以下であることにより、上述のＷ１２の場合と同様の効果が期待できる。
【００５５】
左側面板１３の−Ｘ方向側の辺のＺ軸となす角をθ２とするとき、θ２は好ましくは０度以上、４５度以下である。また、左側面板１３の＋Ｚ方向側の辺の長さが前述の天面板１１の長さＨ１よりも小さくなるようθ２を選択すべきである。θ２がこの範囲であることにより、後述するように、パーテーション１を折り畳んで収納体１０に収納したとき、収納体１０の外形に近似する天面板１１の形状を略矩形とすることでコンパクトにでき、持ち運びの利便性が向上する。また、θ２がこの範囲であることにより、採光性が適度に得られ、作業者の発する音声が左側面板１３にあたらずに外部に漏れることを抑制できる。これらの点は右側面板１４についても同様である。
【００５６】
（ｂ）パーテーションの組み立ておよび折り畳み方法
次に、図３および図４に基づいて、パーテーション１の組み立て方法について説明する。パーテーション１は、収納体１０の状態から組み立てるものであるが、まずは、平面上に展開された状態から組み立てることについて述べる。図３（ａ）は、天面板１１が正面板１２に接合された状態で、パーテーション１の各面がＸＺ平面上に展開され、吸音材２１１、２１３および２１４が−Ｙ方向側を向くように配置した展開図である。
【００５７】
まず、図３（ｂ）に示すように、左側面板１３を第１の辺１２５を軸として手前側、すなわち−Ｙ方向側に向けて折り曲げる。このとき、正面板１２と左側面板１３とのなす角度が略９０度となるように曲げる。次に、図４（ａ）に示すように、右側面板１４を第２の辺１２６を軸として手前側に向けて折り曲げる。このとき、正面板１２と右側面板１４とのなす角度が略９０度となるように曲げる。実際には、例えばＸＹ平面上にテーブル面が来るような作業机等を準備し、この上に上記のような組み立て中のパーテーション１を載置する。
【００５８】
さらに、図４（ｂ）に示すように、天面板１１を第３の辺１１７を軸として手前側、すなわち−Ｙ方向側に向けて折り曲げる。これにより、天面板１１は、正面板１２、左側面板１３および右側面板１４のそれぞれと当接する。その後、−Ｘ方向側と＋Ｘ方向側に張り出している庇部１１３および１１４を、それぞれ−Ｚ方向側に向けて折り曲げる。このとき、前述したように庇部１１３に設けられた着脱部３０１と庇部１１３と重畳する左側面板１３に設けられた着脱部３０３とは、互いに嵌合するボタン構造を有して係合する。また、同様に、庇部１１４に設けられた着脱部３０１と庇部１１４と重畳する右側面板１４に設けられた着脱部３０４とは、互いに嵌合するボタン構造を有して係合する。
【００５９】
以上の工程を経て、パーテーション１の組み立てを完了する。このようにして組み立てられたパーテーション１は、正面板１２が左側面板１３および右側面板１４と一体の部材として構成されるため、各板間の隙間がなく、高い遮音性が得られる。また、天面板１１および左側面板１３、あるいは天面板１１および右側面板１４とは、一体の部材ではないものの、お互いが重畳していることにより音漏れを最大限に抑制できる。
【００６０】
次に、図３（ａ）の展開されたパーテーション１を折り畳んで収納体１０とする方法について説明する。まず、図５（ａ）に示すように、正面板１２と左側面板１３との間に配置される第１連結片１２１を第１の辺１２５を軸として手前側、すなわち−Ｙ方向側に向けて折り曲げる。さらに、左側面板１３を第１連結片１２１との境界である折曲線を軸として＋Ｘ方向側に向けて折り曲げる。これにより、左側面板１３は、−Ｙ方向側からの平面視で正面板１２と重複する。
【００６１】
続けて、図５（ｂ）に示すように、正面板１２と右側面板１４との間に配置される第２連結片１２２を第２の辺１２６を軸として手前側、すなわち−Ｙ方向側に向けて折り曲げる。さらに、右側面板１４を第２連結片１２２との境界である折曲線を軸として−Ｘ方向側に向けて折り曲げる。これにより、右側面板１４も、−Ｙ方向側からの平面視で正面板１２と重複する。
【００６２】
その後、図６（ａ）に示すように、天面板本体１１０と正面板１２との間に配置される持ち手配置片１１５を正面板１２との境界である折曲線を軸として手前側、すなわち−Ｙ方向側に向けて折り曲げる。さらに、天面板本体１１０を第３の辺１１７を軸として−Ｚ方向側に向けて折り曲げる。これにより、天面板本体１１０も、−Ｙ方向側からの平面視で正面板１２と重複する。
【００６３】
その後、図６（ｂ）に示すように、−Ｘ方向側に張り出している第１連結片１２１および庇部１１３を、それぞれ＋Ｙ方向側および＋Ｘ方向側に折り曲げる。同様に、＋Ｘ方向側に張り出している第２連結片１２２および庇部１１４を、それぞれ＋Ｙ方向側および−Ｘ方向側に折り曲げる。ここで、図６（ｂ）の状態を＋Ｙ方向側から見た図を図６（ｃ）に示す。このとき、図６（ｃ）に示すように、庇部１１３および庇部１１４に設けられた着脱部３０１と、庇部１１３および１１４と重畳する正面板１２の一部に設けられた着脱部３０２とは、それぞれが互いに嵌合するボタン構造を有して係合する。
【００６４】
このとき、庇部１１３および１１４の丸みが付けられた＋Ｚ方向の左側面端部１３１および右側面端部１４１は、それぞれ天面板１１の正面板接続片１１６と干渉しないように配置される。すなわち、正面板接続片１１６のＸ軸方向に沿った端部１１６ａおよび１１６ｂが、それぞれ左側面端部１３１および右側面端部１４１の角の丸みの凸部に対応するように、丸みの付いた凹部を形成している。このため、庇部１１３および１１４と正面板接続片１１６とが重複することなく、庇部１１３および１１４を天面板１１の面に折り曲げることができる。
【００６５】
すなわち、組み立てた状態のパーテーション１において、一対の係合手段は、一対の庇部１１３および１１４に設けられた第１の係合手段である着脱部３０１、および左側面板１３および右側面板１４にそれぞれ設けられた第２の係合手段である着脱部３０３および３０４から構成される。さらに、正面板１２は、第３の係合手段である着脱部３０２を備え、パーテーション１を折り畳んで収納体１０とする状態において、第１の係合手段と第３の係合手段とが、それぞれ着脱可能に係合する一対の係合手段を構成する。
【００６６】
すなわち、組み立てた際には、着脱部３０１および着脱部３０３、並びに着脱部３０１および着脱部３０４が、一対の係合手段を構成するとともに、折り畳んで収納体１０にした際には、着脱部３０１および着脱部３０２が一対の係合手段を構成する。このようにして収納体１０が完成する。収納体１０には、持ち手配置片１１５に配置された持ち手を掴むことにより、作業差が容易にパーテーション１を持ち運ぶことができる。
【００６７】
このように、組み立て時のパーテーション１の固定のための係合手段と、折り畳んで収納体１０にまとめられたときの係合手段が少なくとも庇部１１３および１１４が備える着脱部３０１に関して共通となる。これにより、組み立て時の係合と折り畳み時の係合とでそれぞれ全く異なる係合手段を備える必要がないので、パーテーションの部品点数が少なくでき、構造を単純化できるのでコストダウンも図れる。
【００６８】
以上の説明をもとにすれば、図６（ｃ）に示すような収納体１０から図４（ｃ）に示すようなパーテーション１に組み立てること、およびその逆に組み立てられたパーテーション１を折り畳んで収納体１０にすること、はいずれも容易に行える。組み立てる場合は、上述した図３（ａ）の状態から図５（ａ）、図５（ｂ）、図６（ａ）、図６（ｂ）および図６（ｃ）を経て折り畳む工程を逆に行えばよい。その後、図３（ａ）の状態から図３（ｂ）、図４（ａ）を経て、図４（ｂ）の状態とすることで収納体１０からパーテーション１を組み立てる作業が完了する。またこの一連の作業を逆に行えば、組み立てられたパーテーション１を折り畳んで収納体１０とすることもできる。
【００６９】
上述したように、本考案のパーテーション１は、組み立てた状態と、折り畳んで収納体１０とする状態とに変更が可能であり、いずれの作業も容易にできる。また、パーテーション１を組み立てた状態で使用することにより、優れた遮音性が得られ、収納体１０とするときにもコンパクトにまとめられ、比較的軽量のため持ち運びが容易となり、リモート会議などに使用する場合の実施場所の自由度を広げることができる。
【００７０】
２．第２実施形態
次に、本開示の第２実施形態について、上述した第１実施形態との相違点を中心に説明する。図８（ａ）は、第２実施形態に係るパーテーション１ａの、図３（ａ）に対応する展開図である。パーテーション１ａが第１実施形態のパーテーション１と異なる点は、天面板１１ａの外形が略矩形ではなく、略台形となっており、天面板１１の正面板１２に近い辺よりも正面板１２から遠い辺の長さが長いことである。すなわち、凹部が形成される正面側端部１１０ｂの長さが、第１実施形態の正面側端部１１０ａよりも長くなっている。その他の構成は、第１実施形態のパーテーション１と同様である。
【００７１】
このようなパーテーション１ａを組み立てた場合、図１において規定した左側面板１３と正面板１２とのなす角であるθ１は９０度よりも大きい鈍角となり、右側面板１４と正面板１２とのなす角も同様となる。すなわち、パーテーション１ａは、作業者側である−Ｙ方向側から見た場合、左側面板１３および右側面板１４が、ともに奥側から手前側に向けてＸ軸方向に沿って両側に開くように配置される。このような配置となることで、パーテーション１ａが形成する空間のうち、作業者に近い側の空間が広がり、遮音性を確保しつつ、採光性や作業性をさらに向上できる。このようなθ１は、９０度を超え、１４５度以下となる角度であることが好ましい。
【００７２】
３．第３実施形態
さらに、本開示の第３実施形態について、上述した第１実施形態との相違点を中心に説明する。図８（ｂ）は、第３実施形態に係るパーテーション１ｂの、図３（ａ）に対応する展開図である。パーテーション１ｂが第１実施形態のパーテーション１と異なる点は、天面板１１ａの外形が、第２実施形態のパーテーション１ａとは逆に、天面板１１の正面板１２に近い辺よりも正面板１２から遠い辺の長さが短い略台形となることである。すなわち、凹部が形成される正面側端部１１０ｃの長さが、第１実施形態の正面側端部１１０ａよりも短くなっている。その他の構成は、第１実施形態のパーテーション１と同様である。
【００７３】
このようなパーテーション１ｂを組み立てた場合、図１において規定した左側面板１３と正面板１２とのなす角であるθ１は９０度よりも小さい鋭角となり、右側面板１４と正面板１２とのなす角も同様となる。すなわち、パーテーション１ｂは、作業者側である−Ｙ方向側から見た場合、左側面板１３および右側面板１４が、ともに奥側から手前側に向けてＸ軸方向に沿った両側に狭まるように配置される。このような配置となることで、パーテーション１ｂが形成する空間のうち、作業者に近い側の空間が狭くなり、音漏れが極力抑制できる。このようなθ１は、９０度を下回り、４５度以上となる角度であることが好ましい。
【００７４】
なお、上述した実施形態や変形例については、それらが互いに矛盾しない範囲で、その全部または一部を組み合わせて実施することが可能であり、その内容も当然に本開示に含まれる。
【符号の説明】
【００７５】
１、１ａ、１ｂ  パーテーション
１０  収納体
１１、１１ａ、１１ｂ  天面板
１２  正面板
１３  左側面板
１４  右側面板
１１０  天面板本体
１１０ａ、１１０ｂ、１１０ｃ  正面側端部
１１１、１１２  折曲片
１１３、１１４  庇部
１１５  持ち手配置片
１１５ａ  持ち手
１１６  正面板接続片
１１６ａ、１１６ｂ  端部
１１７  第３の辺
１２１  第１連結片
１２２  第２連結片
１２３、１２４  開閉部
１２３ａ  蓋
１２３ｂ  スリット
１２３ｃ  折曲線
１２３ｄ  開口
１２４ａ、１２４ｂ  スリット
１２４ｃ  開口
１２５  第１の辺
１２６  第２の辺
１２７  接続予定部
１３１  左側面端部
１３２  第４の辺
１４１  右側面端部
１４２  第５の辺
２１１、２１３、２１４  吸音材
３０１、３０２、３０３、３０４  着脱部
４１０  作業机
４２０  パーソナルコンピュータ
【図１】
0003233867.tif 000003
【図２】
0003233867.tif 000004
【図３】
0003233867.tif 000005
【図４】
0003233867.tif 000006
【図５】
0003233867.tif 000007
【図６】
0003233867.tif 000008
【図７】
0003233867.tif 000009
【図８】
0003233867.tif 000010